(57)【要約】【課題】入力電流を検知して所定の制御値に制御する機能を有する炊飯器において、炊飯開始時に比べて規定以上の商用電源の電圧降下を検知したときには、商用電源からの入力電流を低く抑えて、ブレーカーが遮断するのを防止する。【解決手段】制御手段２０により炊飯動作を制御し、制御手段２０は、入力電流の制御用に予め設定している第一の電流制御値と、第一の電流制御値より低くした第二の電流制御値を有し、炊飯開始時の入力電圧検知手段１６により検知した値を第一の閾値とし、第一の閾値より規定の補正値を差し引いたものを第二の閾値とし、入力電圧検知手段１６により検知した値が第二の閾値より大きいときには入力電流検知手段１５の制御値を第一の電流制御値とし、入力電圧検知手段１６により検知した値が第二の閾値より小さいときには入力電流検知手段１５の制御値を第二の電流制御値にするように制御する機能を有する。【選択図】　図１
2004024644.tif 000002
【特許請求の範囲】
【請求項１】
商用電源からの入力電流を検知する入力電流検知手段と、商用電源の電圧を検知する入力電圧検知手段と、前記入力電流検知手段の出力と前記入力電圧検知手段の出力とを入力し炊飯動作を制御する制御手段とを備え、前記制御手段は入力電流の制御用に予め設定している第一の電流制御値と、前記第一の電流制御値より低くした第二の電流制御値を有し、炊飯開始時の前記入力電圧検知手段により検知した値を第一の閾値とし、前記第一の閾値より規定の補正値を差し引いたものを第二の閾値とし、前記入力電圧検知手段により検知した値が前記第二の閾値より大きいときには入力電流検知手段の制御値を第一の電流制御値とし、前記入力電圧検知手段により検知した値が前記第二の閾値より小さいときには入力電流検知手段の制御値を第二の電流制御値にするように制御する機能を有する炊飯器。
【請求項２】
第一の閾値から差し引く補正値を任意に設定できる機能を有する請求項１記載の炊飯器。
【請求項３】
複数の入力電流検知手段の制御値を有し、入力電圧検知手段により検知した値に応じて、複数の前記入力電流検知手段の制御値を切り換えて制御する機能を有する請求項１記載の炊飯器。
【請求項４】
表示動作をする表示手段を備え、入力電圧検知手段により検知した値が、第二の閾値より小さいときには、前記表示手段により使用者に知らせる構成とした請求項１または２記載の炊飯器。
【請求項５】
報知動作をする報知手段を備え、入力電圧検知手段により検知した値が、第二の閾値より小さいときには、前記報知手段により使用者に知らせる構成とした請求項１〜３のいずれか１項に記載の炊飯器。
【請求項６】
表示動作をする表示手段と、報知動作をする報知手段とを備え、入力電圧検知手段により検知した値が、第二の閾値より小さいときには、前記表示手段と前記報知手段により、使用者に知らせる構成とした請求項１〜４のいずれか１項に記載の炊飯器。
【請求項７】
入力電圧検知手段により検知した値が、第二の閾値より小さいとき、入力電流検知手段の制御値を第二の電流制御値にするように制御した後、入力電圧検知手段により検知した値が、前記第二の閾値より大きいと検知したときには、前記入力電流検知手段の制御値を再び第一の電流制御値にするように制御する機能を有する請求項１〜５のいずれか１項に記載の炊飯器。
【請求項８】
表示動作をする表示手段と、報知動作をする報知手段とを備え、入力電圧検知手段により検知した値が、第二の閾値より小さいと炊飯中に少なくとも一回以上検知したとき、炊飯終了時に前記表示手段または前記報知手段により使用者に知らせる構成とした請求項１〜６のいずれか１項に記載の炊飯器。
【請求項９】
表示動作をする表示手段と、報知動作をする報知手段と、報知機能を切り換える報知機能切換手段とを備え、前記報知機能切換手段は、入力電圧検知手段により検知した値が、第二の閾値より小さいときに、前記報知手段または前記表示手段を用いた報知機能を切り換えてオンオフさせる構成とした請求項１〜８のいずれか１項に記載の炊飯器。
【発明の詳細な説明】
【０００１】
【発明の属する技術分野】
本発明は、入力電流を検知して所定の制御値に制御する機能を有する炊飯器に関するものである。
【０００２】
【従来の技術】
従来、この種の炊飯器は、図１１に示すように構成していた。以下、その構成について説明する。
【０００３】
図１１に示すように、商用電源１は、整流回路２により整流し、その直流電力をインバータ回路４ａにより高周波電力に変換し、加熱手段４により炊飯容器となる鍋３を加熱するよう構成している。入力電流検知手段５は商用電源１からの入力電流を検知するものである。操作手段７は開始スイッチ８を有し、マイクロコンピュータ６に接続している。制御手段９は、入力電流を制御するもので、予め設定している第一の電流制御値Ｉｃ１を有し、入力電流検知手段５の出力を入力し、インバータ回路４ａの動作を制御するよう構成している。
【０００４】
上記構成において動作を説明する。制御手段９は、入力電流の制御用に予め設定している第一の電流制御値Ｉｃ１を有し、入力電流検知手段５により検知した値が第一の電流制御値Ｉｃ１になるように制御する。このため、電源電圧の変動に関わらず、入力電流の制御値は、第一の電流制御値Ｉｃ１で一定であった。
【０００５】
【発明が解決しようとする課題】
しかしながら、上記従来の炊飯器では、同時に他の電化製品を使用する等してブレーカーの電源容量を越えて、電源電圧が低下したときには、すぐにブレーカーが遮断されて、すべての電化製品の動作が停止するといった問題があった。
【０００６】
本発明は上記従来の課題を解決するもので、炊飯開始時に比べて規定以上の商用電源の電圧降下を検知したときには、商用電源からの入力電流を低く抑えて、ブレーカーが遮断するのを防止することを目的としている。
【０００７】
【課題を解決するための手段】
本発明は上記目的を達成するために、商用電源からの入力電流を入力電流検知手段により検知するとともに、商用電源の電圧を入力電圧検知手段により検知し、入力電流検知手段の出力と入力電圧検知手段の出力とを制御手段に入力して炊飯動作を制御するよう構成し、制御手段は、入力電流の制御用に予め設定している第一の電流制御値と、第一の電流制御値より低くした第二の電流制御値を有し、炊飯開始時の入力電圧検知手段により検知した値を第一の閾値とし、第一の閾値より規定の補正値を差し引いたものを第二の閾値とし、入力電圧検知手段により検知した値が第二の閾値より大きいときには入力電流検知手段の制御値を第一の電流制御値とし、入力電圧検知手段により検知した値が第二の閾値より小さいときには入力電流検知手段の制御値を第二の電流制御値にするように制御する機能を有するものである。
【０００８】
これにより、炊飯開始時に比べて規定以上の商用電源の電圧降下を検知したときには、商用電源からの入力電流を低く抑えることができ、ブレーカーが遮断するのを防止することができる。
【０００９】
【発明の実施の形態】
本発明の請求項１に記載の発明は、商用電源からの入力電流を検知する入力電流検知手段と、商用電源の電圧を検知する入力電圧検知手段と、前記入力電流検知手段の出力と前記入力電圧検知手段の出力とを入力し炊飯動作を制御する制御手段とを備え、前記制御手段は入力電流の制御用に予め設定している第一の電流制御値と、前記第一の電流制御値より低くした第二の電流制御値を有し、炊飯開始時の前記入力電圧検知手段により検知した値を第一の閾値とし、前記第一の閾値より規定の補正値を差し引いたものを第二の閾値とし、前記入力電圧検知手段により検知した値が前記第二の閾値より大きいときには入力電流検知手段の制御値を第一の電流制御値とし、前記入力電圧検知手段により検知した値が前記第二の閾値より小さいときには入力電流検知手段の制御値を第二の電流制御値にするように制御する機能を有するものであり、電源電圧が規定以上に低下したときの入力電流を低減することができ、ブレーカーの定格電流に対する余裕がない状態で、炊飯器と他の電化製品が動作してブレーカーが遮断するといったことを防止することができる。
【００１０】
請求項２に記載の発明は、上記請求項１に記載の発明において、第一の閾値から差し引く補正値を任意に設定できる機能を有するものであり、入力電圧検知手段により検知した値に対する閾値が任意となるので、各家庭の使用環境に応じて、上記機能をより有効的に活用することができる。
【００１１】
請求項３に記載の発明は、上記請求項１に記載の発明において、複数の入力電流検知手段の制御値を有し、入力電圧検知手段により検知した値に応じて、複数の前記入力電流検知手段の制御値を切り換えて制御する機能を有するものであり、入力電圧検知手段により検知した値に対する閾値を複数持ち、検知値に応じて、商用電源からの入力電流値を切り換えることにより、ブレーカーが遮断されずに、なおかつ、可能な限り商用電源からの入力電流を大きくすることができ、おいしいご飯を得ることができる。
【００１２】
請求項４に記載の発明は、上記請求項１または２に記載の発明において、表示動作をする表示手段を備え、入力電圧検知手段により検知した値が、第二の閾値より小さいときには、前記表示手段により使用者に知らせる構成としたものであり、商用電源からの入力電圧の電圧低下が大きいと検知したときには、表示手段により使用者に知らせることができる。
【００１３】
請求項５に記載の発明は、上記請求項１〜３に記載の発明において、報知動作をする報知手段を備え、入力電圧検知手段により検知した値が、第二の閾値より小さいときには、前記報知手段により使用者に知らせる構成としたものであり、商用電源からの入力電圧の電圧低下が大きいと検知したときには、報知手段により炊飯器から離れている使用者も含めて知らせることができる。
【００１４】
請求項６に記載の発明は、上記請求項１〜４に記載の発明において、表示動作をする表示手段と、報知動作をする報知手段とを備え、入力電圧検知手段により検知した値が、第二の閾値より小さいときには、前記表示手段と前記報知手段により、使用者に知らせる構成としたものであり、商用電源からの入力電圧の電圧低下が大きいと検知したときには、表示手段および報知手段により炊飯器から離れている使用者も含めて強く、知らせることができる。
【００１５】
請求項７に記載の発明は、上記請求項１〜５に記載の発明において、入力電圧検知手段により検知した値が、第二の閾値より小さいとき、入力電流検知手段の制御値を第二の電流制御値にするように制御した後、入力電圧検知手段により検知した値が、前記第二の閾値より大きいと検知したときには、前記入力電流検知手段の制御値を再び第一の電流制御値にするように制御する機能を有するものであり、商用電源からの入力電圧の電圧低下が大きいと検知したときに商用電源からの入力電流を低く抑えた後、商用電源からの入力電圧が高いと検知したときには、商用電源からの入力電流を通常の電流値に戻すことができ、可能な限り商用電源からの入力電流を大きくすることができ、おいしいご飯を得ることができる。
【００１６】
請求項８に記載の発明は、上記請求項１〜６に記載の発明において、表示動作をする表示手段と、報知動作をする報知手段とを備え、入力電圧検知手段により検知した値が、第二の閾値より小さいと炊飯中に少なくとも一回以上検知したとき、炊飯終了時に前記表示手段または前記報知手段により使用者に知らせる構成としたものであり、商用電源からの入力電圧の電圧降下が炊飯中に少なくとも一回以上、大きいと検知したとき、炊飯終了時に表示手段または報知手段により、使用者に知らせることができ、注意を促すことができる。
【００１７】
請求項９に記載の発明は、上記請求項１〜８に記載の発明において、表示動作をする表示手段と、報知動作をする報知手段と、報知機能を切り換える報知機能切換手段とを備え、前記報知機能切換手段は、入力電圧検知手段により検知した値が、第二の閾値より小さいときに、前記報知手段または前記表示手段を用いた報知機能を切り換えてオンオフさせる構成としたものであり、商用電源からの入力電圧の電圧降下が大きいと検知したときに、表示手段または報知手段による報知機能を必要としないときには、その機能を任意に動作しないように切り換えることができる。
【００１８】
【実施例】
以下、本発明の実施例について、図面を参照しながら説明する。
【００１９】
（実施例１）
図１に示すように、商用電源１１は、整流回路１２により整流し、その直流電力をインバータ回路１４ａにより高周波電力に変換し、加熱手段１４により炊飯容器となる鍋１３を加熱するよう構成している。入力電流検知手段１５は商用電源１１からの電流を検知するもので、入力電圧検知手段１６は商用電源１１の電圧を検知するものである。
【００２０】
操作手段１８は開始スイッチ１９を有し、マイクロコンピュータ１７に接続している。制御手段２０は、入力電流を制御するもので、予め設定した第一の電流制御値Ｉｃ１とそれよりも低くした第二の電流制御値Ｉｃ２を有し、入力電流検知手段１５の出力と入力電圧検知手段１６の出力を入力し、インバータ回路１４ａの動作を制御するよう構成している。
【００２１】
ここで、制御手段２０は、炊飯開始時の入力電圧検知手段１６により検知した値を第一の閾値Ｖｓ１とし、第一の閾値Ｖｓ１より規定の補正値Ｖｃａを差し引いたものを第二の閾値Ｖｓ２とし、入力電圧検知手段１６により検知した値が第二の閾値Ｖｓ２より大きいときには入力電流検知手段１５の制御値を第一の電流制御値Ｉｃ１とし、入力電圧検知手段１６により検知した値が第二の閾値Ｖｓ２より小さいときには入力電流検知手段１５の制御値を第二の電流制御値Ｉｃ２にするように制御する機能を有する。
【００２２】
上記構成において動作を説明する。図２は、本実施例における入力電圧検知手段１６の検知値による入力電流制御値の一例である。
【００２３】
炊飯を開始するとき、まず、鍋１３内に米などの調理物を投入し、開始スイッチ１９により、炊飯を開始する。このとき、炊飯開始時の入力電圧検知手段１６により検知した値を第一の閾値Ｖｓ１とし、それよりも規定の補正値Ｖｃａを差し引いたものを第二の閾値Ｖｓ２とする。入力電圧検知手段１６により検知した値が、第二の閾値Ｖｓ２より小さいときには、入力電流検知手段１６の制御値を、第二の電流制御値Ｉｃ２とし、入力電圧検知手段１６により検知した値が第二の閾値Ｖｓ２より大きいときには、電流検知手段１５の制御値を第一の電流制御値Ｉｃ１にするように制御する。
【００２４】
以上のような制御をすることにより、炊飯開始時に比べて電源電圧が一定以上低下したときには、入力電流が第二の電流制御値Ｉｃ２に制御されるので、電源電圧低下時の入力電流を低減することができ、ブレーカーの定格電流に対する余裕がない状態で、炊飯器が動作してブレーカーが遮断するのを防止することができる。
【００２５】
以上のように本実施例によれば、無用にブレーカーが遮断するのを防止することができ、炊飯中のご飯が炊けないといったことや、ブレーカーが遮断することによる機器の復旧動作の必要がなくなる。
【００２６】
（実施例２）
図１に示す制御手段２０は、第一の閾値Ｖｓ１から差し引く補正値を任意に設定できる機能を有している。他の構成は上記実施例１と同じである。
【００２７】
上記構成において動作を説明する。図３は本実施例における入力電圧検知手段１６の検知値による入力電流制御値の一例である。補正値Ｖｃｂを任意に設定することができるので、つまりは第一の閾値Ｖｓ１から補正値Ｖｃｂを差し引いた第二の閾値Ｖｓ２も任意の値に設定できる。
【００２８】
以上のように本実施例によれば、入力電圧検知手段１６の閾値となる第二の閾値Ｖｓ２を任意に設定することができるので、電源電圧の低下に対してブレーカーが遮断しない範囲で入力電流を可能な限り大きくすることができ、各家庭の電化製品の使用環境に応じて、上記機能をより有効的に活用することができる。
【００２９】
（実施例３）
図１に示す制御手段２０は、入力電流の制御用に予め設定している第一の電流制御値Ｉｃ１とそれよりも低くした複数の電流制御値Ｉｃ２・・Ｉｃｎを有し、さらに、第一の閾値Ｖｓ１と、複数の補正値により規定された第一の閾値Ｖｓ１よりも低い複数の閾値Ｖｓ２・・Ｖｓｎを有している。他の構成は上記実施例１と同じである。
【００３０】
上記構成において動作を説明する。図４は本実施例における入力電圧検知手段１６の検知値による入力電流制御値の一例である。入力電圧検知手段１６により検知した値が第二の閾値Ｖｓ２より大きいときには、入力電流検知手段１５の電流制御値を第一の電流制御値Ｉｃ１に切り換え、入力電圧検知手段１６により検知した値が第二の閾値Ｖｓ２より小さいときには、その電圧検知値に応じて、入力電流検知手段１５の制御値を第一の電流制御値Ｉｃ１よりも予め低く設定している電流制御値に切り換えるように制御する。
【００３１】
以上のように本実施例によれば、入力電圧検知手段１６の閾値を複数持っているので、電源電圧の低下に対してブレーカーが遮断しない範囲で入力電流を可能な限り最大限に大きくすることができる。したがって、各家庭の電化製品の使用環境に応じて、上記機能をさらに有効的に活用することに加え、ご飯のでき上がりが低下することがなく、おいしいご飯を提供することができる。
【００３２】
（実施例４）
図５に示すように、表示手段２１は、液晶表示器、発光ダイオードなどで構成し、表示動作をするもので、制御手段２０は、入力電圧検知手段１６により検知した値が、第二の閾値Ｖｓ２より小さいときには、表示手段２１により使用者に知らせる構成としている。他の構成は上記実施例１と同じであり、同一符号を付して説明を省略する。
【００３３】
上記構成において動作を説明する。入力電圧検知手段１６により検知した値が、第二の閾値Ｖｓ２より小さいときには、表示手段２１を用いて使用者に知らせるように制御する。
【００３４】
以上のような制御をすることにより、炊飯器と他の電化製品の同時使用で電源電圧が低下している場合には、使用者がそのことに気付いて、炊飯が終了するまでの間、直ちに他の機器を一時的に停止させれば、ブレーカーが定格電流を越えて遮断するといったことを防止することができ、さらに、炊飯器が持っている機能を損なうことなく、おいしいご飯を提供することができる。
【００３５】
（実施例５）
図６に示すように、報知手段２２は、ブザー等の発音手段により構成し、報知動作をするもので、制御手段２０は、入力電圧検知手段１６により検知した値が、第二の閾値Ｖｓ２より小さいときには、報知手段２２により使用者に知らせる構成としている。他の構成は上記実施例１と同じであり、同一符号を付して説明を省略する。
【００３６】
上記構成において動作を説明する。入力電圧検知手段１６により検知した値が、第二の閾値Ｖｓ２より小さいときには、報知手段２２を用いて使用者に知らせるように制御する。
【００３７】
以上のような制御をすることにより、炊飯開始時に比べて電源電圧が一定以上低下したときには、炊飯器の近くにいる使用者だけでなく、離れた場所にいる使用者にも知らせることができる。その結果、炊飯器と他の電化製品の同時使用で電源電圧が低下している場合には、使用者がそのことに気付いて、炊飯が終了するまでの間、直ちに他の機器を一時的に停止させれば、ブレーカーが定格電流を越えて遮断するといったことを防止することができ、さらに、炊飯器が持っている機能を損なうことなく、おいしいご飯を提供することができる。
【００３８】
（実施例６）
図７に示すように、制御手段２０は、入力電圧検知手段１６により検知した値が、第二の閾値Ｖｓ２より小さいときには、表示手段２１と報知手段２２により、使用者に知らせる構成としている。他の構成は上記実施例１と同じであり、同一符号を付して説明を省略する。
【００３９】
上記構成において動作を説明する。入力電圧検知手段１６により検知した値が、第二の閾値Ｖｓ２より小さいときには、液晶表示器、発光ダイオードなどで構成した表示手段２１およびブザーなどの発音手段により構成した報知手段２２により使用者に知らせるように制御する。
【００４０】
以上のような制御をすることにより、炊飯開始時に比べて電源電圧が一定以上低下したときには、人間の視覚と聴覚の両方に訴えかけて、炊飯器の近くにいる使用者だけでなく、離れた場所にいる使用者にも強く認知させることができる。その結果、炊飯器と他の電化製品の同時使用で電源電圧が低下している場合には、使用者がそのことに気付いて、炊飯が終了するまでの間、直ちに他の機器を一時的に停止させれば、ブレーカーが定格電流を越えて遮断するといったことを防止することができ、さらに、炊飯器が持っている機能を損なうことなく、おいしいご飯を提供することができる。
【００４１】
（実施例７）
図１に示す制御手段２０は、入力電圧検知手段１６により検知した値が第二の閾値Ｖｓ２より小さいとき、入力電流検知手段１５の電流制御値を第二の電流制御値Ｉｃ２とした後、入力電圧検知手段１６により検知した値が第二の閾値Ｖｓ２より大きいと検知したときには、入力電流検知手段１５の電流制御値を第一の電流制御値Ｉｃ１にするように制御する機能を有する。他の構成は上記実施例１〜５と同じである。
【００４２】
以上のような制御をすることにより、電源電圧が低下して入力電流が第二の入力電流制御値Ｉｃ２に制御されても、その後、同時に使用している電化製品の動作終了等により、電源電圧の低下が減少したと検知したときには、入力電流が第一の入力電流御値Ｉｃ１に制御されて、正規の入力電流で動作する。したがって、入力電流の低下を必要最小限にすることができ、できあがりのご飯の低下を防ぎ、おいしいご飯を使用者に提供することができる。
【００４３】
（実施例８）
図７に示す制御手段２０は、入力電圧検知手段１６により検知した値が、第二の閾値Ｖｓ２より小さいと炊飯中に少なくとも一回以上検知したとき、炊飯終了時に表示手段２１または報知手段２２により使用者に知らせる構成としている。他の構成は上記実施例１〜６と同じである。
【００４４】
上記構成において図８を参照しながら動作を説明する。ステップ３０にて開始スイッチ１９が押されると、ステップ３１に進み、炊飯が開始されて、ステップ３２に進む。ステップ３２において、入力電圧検知手段１６による検知がスタートし、ステップ３３に進む。ステップ３３において、入力電圧検知手段１６により検知した値が第二の閾値Ｖｓ２より小さいかどうかの判定を行い、小さければステップ３４に進み、大きければステップ３５に進む。
【００４５】
ステップ３４において、電流制御値を第二の電流制御値Ｉｃ２として制御し、ステップ３６に進み、炊飯を終了しているかどうかの判定を行い、炊飯を終了していればステップ３８に進む。ステップ３８において、液晶表示器、発光ダイオードなどで構成した表示手段２１およびブザーなどの発音手段により構成した報知手段２２により報知し、ステップ３９に進み、動作を終了する。ステップ３６にて炊飯を終了していなければ、ステップ３３に戻り、以下同様の動作を繰り返す。
【００４６】
つぎに、ステップ３５において、電流制御値を第一の電流制御値Ｉｃ１として制御し、ステップ３７に進み、炊飯中かどうかの判定を行い、炊飯中であればステップ３３に戻り、以下同様の動作を繰り返し、炊飯中でなければステップ３９へ進んで、動作を終了する。
【００４７】
以上のような制御をすることにより、炊飯器の近くにいなくても炊飯中に電源電圧の低下を検知したことを炊飯終了後でも認識することができ、炊飯器と他の電化製品の同時使用で電源電圧が低下した場合には使用者に注意を促すことができる。その結果、次回から炊飯器の使用時には、他の電化製品の使用を控えるといったことで、無用な電源電圧の低下の防止に結びつけることができ、炊飯器が持っている機能を損なうことなく、おいしいご飯を提供することができる。
【００４８】
（実施例９）
図９に示すように、報知機能切換手段２３は、報知機能を切り換えるもので、入力電圧検知手段１６により検知した値が、第二の閾値Ｖｓ２より小さいときに、報知手段２２または表示手段２１を用いた報知機能のオン・オフを切り換える構成としている。他の構成は上記実施例１と同じであり、同一符号を付して説明を省略する。
【００４９】
上記構成において図１０を参照しながら動作を説明する。ステップ４０にて開始スイッチ１９が押されると、ステップ４１に進み、炊飯が開始されて、ステップ４２に進む。ステップ４２において、入力電圧検知手段１６による検知がスタートし、ステップ４３に進む。ステップ４３において、入力電圧検知手段１６により検知した値が第二の閾値Ｖｓ２より小さいかどうかの判定を行い、小さければステップ４４に進む。
【００５０】
ステップ４４において、報知手段２２による報知を有効に設定しているかどうかの判定を行い、有効に設定していればステップ４５に進み、有効に設定していなければステップ４６に進む。ステップ４５において、表示手段２６による報知を有効に設定しているかどうかの判定を行い、有効に設定していればステップ４７に進み、液晶表示器、発光ダイオードなどで構成した表示手段２１およびブザーなどの発音手段により構成した報知手段２２により報知し、ステップ４８に進み、動作を終了する。
【００５１】
ステップ４５において、表示手段２６による報知を有効に設定していなければ、ステップ４９において、ブザー等の発音手段により構成した報知手段２２による報知を行い、ステップ４８に進み、動作を終了する。
【００５２】
ステップ４６において、表示手段２６による報知を有効に設定しているかどうかの判定を行い、有効に設定していればステップ５０に進み、有効に設定していなければステップ５１に進む。ステップ５０において、液晶表示器、発光ダイオードなどで構成した表示手段２１による報知を行い、ステップ４８に進み、動作を終了する。ステップ５１において、報知はせずにステップ４８に進み、動作を終了する。
【００５３】
以上のような制御をすることにより、電源電圧の低下を検知したときの表示手段２１または報知手段２２による報知が不要な使用者に対しても、報知機能切換手段２３による切り換えにより、使用者に最適な使用状態に設定することができる。その結果、表示手段２１による報知機能を目障りと感じたり、報知手段２２による報知機能を耳障りと感じる使用者が、炊飯器の使用を不快と感じることを未然に防ぐことができる。
【００５４】
【発明の効果】
以上のように本発明の請求項１に記載の発明によれば、商用電源からの入力電流を検知する入力電流検知手段と、商用電源の電圧を検知する入力電圧検知手段と、前記入力電流検知手段の出力と前記入力電圧検知手段の出力とを入力し炊飯動作を制御する制御手段とを備え、前記制御手段は入力電流の制御用に予め設定している第一の電流制御値と、前記第一の電流制御値より低くした第二の電流制御値を有し、炊飯開始時の前記入力電圧検知手段により検知した値を第一の閾値とし、前記第一の閾値より規定の補正値を差し引いたものを第二の閾値とし、前記入力電圧検知手段により検知した値が前記第二の閾値より大きいときには入力電流検知手段の制御値を第一の電流制御値とし、前記入力電圧検知手段により検知した値が前記第二の閾値より小さいときには入力電流検知手段の制御値を第二の電流制御値にするように制御する機能を有するから、電源電圧が規定以上に低下したときの入力電流を低減することができ、ブレーカーの定格電流に対する余裕がない状態で、炊飯器と他の電化製品が動作してブレーカーが遮断するといったことを防止することができ、ご飯が炊けないことがなくなり、機器の復旧動作の必要がなくなる。
【００５５】
また、請求項２に記載の発明によれば、第一の閾値から差し引く補正値を任意に設定できる機能を有するから、入力電圧検知手段により検知した値に対する閾値が任意となるので、各家庭の使用環境に応じて、上記機能をより有効的に活用することができる。
【００５６】
また、請求項３に記載の発明によれば、複数の入力電流検知手段の制御値を有し、入力電圧検知手段により検知した値に応じて、複数の前記入力電流検知手段の制御値を切り換えて制御する機能を有するから、入力電圧検知手段により検知した値に対する閾値を複数持ち、検知値に応じて、商用電源からの入力電流値を切り換えることにより、ブレーカーが遮断されずに、なおかつ、可能な限り商用電源からの入力電流を大きくすることができ、おいしいご飯を得ることができる。
【００５７】
また、請求項４に記載の発明によれば、表示動作をする表示手段を備え、入力電圧検知手段により検知した値が、第二の閾値より小さいときには、前記表示手段により使用者に知らせる構成としたから、商用電源からの入力電圧の電圧低下が大きいと検知したときには、表示手段により使用者に知らせることができる。
【００５８】
また、請求項５に記載の発明によれば、報知動作をする報知手段を備え、入力電圧検知手段により検知した値が、第二の閾値より小さいときには、前記報知手段により使用者に知らせる構成としたから、商用電源からの入力電圧の電圧低下が大きいと検知したときには、報知手段により炊飯器から離れている使用者も含めて知らせることができる。
【００５９】
また、請求項６に記載の発明によれば、表示動作をする表示手段と、報知動作をする報知手段とを備え、入力電圧検知手段により検知した値が、第二の閾値より小さいときには、前記表示手段と前記報知手段により、使用者に知らせる構成としたから、商用電源からの入力電圧の電圧低下が大きいと検知したときには、表示手段および報知手段により炊飯器から離れている使用者も含めて強く、知らせることができる。
【００６０】
また、請求項７に記載の発明によれば、入力電圧検知手段により検知した値が、第二の閾値より小さいとき、入力電流検知手段の制御値を第二の電流制御値にするように制御した後、入力電圧検知手段により検知した値が、前記第二の閾値より大きいと検知したときには、前記入力電流検知手段の制御値を再び第一の電流制御値にするように制御する機能を有するから、商用電源からの入力電圧の電圧低下が大きいと検知したときに商用電源からの入力電流を低く抑えた後、商用電源からの入力電圧が高いと検知したときには、商用電源からの入力電流を通常の電流値に戻すことができ、可能な限り商用電源からの入力電流を大きくすることができ、おいしいご飯を得ることができる。
【００６１】
また、請求項８に記載の発明によれば、表示動作をする表示手段と、報知動作をする報知手段とを備え、入力電圧検知手段により検知した値が、第二の閾値より小さいと炊飯中に少なくとも一回以上検知したとき、炊飯終了時に前記表示手段または前記報知手段により使用者に知らせる構成としたから、商用電源からの入力電圧の電圧降下が炊飯中に少なくとも一回以上、大きいと検知したとき、炊飯終了時に表示手段または報知手段により、使用者に知らせることができ、注意を促すことができる。
【００６２】
また、請求項９に記載の発明によれば、表示動作をする表示手段と、報知動作をする報知手段と、報知機能を切り換える報知機能切換手段とを備え、前記報知機能切換手段は、入力電圧検知手段により検知した値が、第二の閾値より小さいときに、前記報知手段または前記表示手段を用いた報知機能を切り換えてオンオフさせる構成としたから、商用電源からの入力電圧の電圧降下が大きいと検知したときに、表示手段または報知手段による報知機能を必要としないときには、その機能を任意に動作しないように切り換えることができる。
【図面の簡単な説明】
【図１】本発明の第１の実施例の炊飯器のブロック図
【図２】同炊飯器の入力電圧検知手段の検知値による入力電流制御値の一例を示す図
【図３】本発明の第２の実施例の炊飯器の入力電圧検知手段の検知値による入力電流制御値の一例を示す図
【図４】本発明の第３の実施例の炊飯器の入力電圧検知手段の検知値による入力電流制御値の一例を示す図
【図５】本発明の第４の実施例の炊飯器のブロック図
【図６】本発明の第５の実施例の炊飯器のブロック図
【図７】本発明の第６の実施例の炊飯器のブロック図
【図８】本発明の第８の実施例の炊飯器のフローチャート
【図９】本発明の第９の実施例の炊飯器のブロック図
【図１０】同炊飯器のフローチャート
【図１１】従来の炊飯器のブロック図
【符号の説明】
１１　商用電源
１５　入力電流検知手段
１６　入力電圧検知手段
２０　制御手段
【図１】
2004024644.tif 000003
【図２】
2004024644.tif 000004
【図３】
2004024644.tif 000005
【図４】
2004024644.tif 000006
【図５】
2004024644.tif 000007
【図６】
2004024644.tif 000008
【図７】
2004024644.tif 000009
【図８】
2004024644.tif 000010
【図９】
2004024644.tif 000011
【図１０】
2004024644.tif 000012
【図１１】
2004024644.tif 000013